【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
構築物・重量据付物等の基礎とこの基礎の上に支持される支持部材との間に設置する免震支持結合装置からなり、
前記基礎と支持部材にそれぞれ結合固定される互いに嵌合する円形嵌合凹部を有する基部と蓋部とを備え、
前記基部と蓋部との嵌合中空部内に、複数の皿ばねを積層配置し、かつこれら皿ばねの外周を複数の隣接する湾曲ばね片で囲繞するように配置し、
前記基部を形成する基板と前記蓋部を形成する蓋板との間に鋼球を転動可能に設けたことを特徴とする構築物・重量据付物等の免震支持構造。
【請求項２】
前記複数の皿ばねを積層配置した基部の嵌合中空部内に、前記基板と蓋板とにそれぞれ当接作用する鋼球を転動可能に収納配置したことを特徴とする請求項１記載の構築物・重量据付物等の免震支持構造。
【請求項３】
前記基部と蓋部との嵌合中空部内に鋼球を収納した前記蓋部側に、鋼球の頂部を若干露呈する孔部を中央に設けた平板ワッシャを収納配置したことを特徴とする請求項２記載の構築物・重量据付物等の免震支持構造。
【請求項４】
前記基部と蓋部との嵌合中空部内に収納配置する皿ばねは、強靭弾性と防錆効果を有する金属材料により構成し、これら複数の皿ばねを適宜平板ワッシャを介して積層し、これら積層した皿ばねの頂部と底縁部がそれぞれ円形嵌合凹部の対向する底面に当接して基部と蓋部とが前記皿ばねを介して離間するように設定し、前記積層した皿ばねの外周部に対向するように前記円形嵌合凹部の内周部に複数の湾曲ばね片を隣接配置したことを特徴とする請求項１または２記載の構築物・重量据付物等の免震支持構造。
【手続補正２】
【補正対象書類名】明細書
【補正対象項目名】０００７
【補正方法】変更
【補正の内容】
【０００７】
【発明が解決しようとする課題】
しかるに、前述した従来の基礎施工法による基礎構造においては、構造的に強度が高められ、耐震性も増大する利点が得られるが、例えば地震発生時において、地盤基礎から伝達される地震力、特に比較的大きな地震力に対して、十分な吸収能力と、減衰能力と、構築物の揺れと地盤との共振を防止する能力を兼備する免震構造であることが、さらに要求される。
【手続補正３】
【補正対象書類名】明細書
【補正対象項目名】００１２
【補正方法】変更
【補正の内容】
【００１２】
【課題を解決するための手段】
前記の目的を達成するため、本発明に係る構築物・重量据付物等の免震支持構造は、構築物・重量据付物等の基礎とこの基礎の上に支持される支持部材との間に設置する免震支持結合装置からなり、前記基礎と支持部材にそれぞれ結合固定される互いに嵌合する円形嵌合凹部を有する基部と蓋部とを備え、前記基部と蓋部との嵌合中空部内に、複数の皿ばねを積層配置し、かつこれら皿ばねの外周を複数の隣接する湾曲ばね片で囲繞するように配置し、前記基部を形成する基板側と前記蓋部を形成する蓋板との間に鋼球を転動可能に設けたことを特徴とする。
【手続補正４】
【補正対象書類名】明細書
【補正対象項目名】００１３
【補正方法】変更
【補正の内容】
【００１３】
この場合、前記複数の皿ばねを積層配置した基部の嵌合中空部内に、前記基板と蓋板とにそれぞれ当接作用する鋼球を転動可能に収納配置した構成とすることができる。
【手続補正５】
【補正対象書類名】明細書
【補正対象項目名】００１４
【補正方法】変更
【補正の内容】
【００１４】
また、前記基部と蓋部との嵌合中空部内に鋼球を収納した前記蓋部側に、鋼球の頂部を若干露呈する孔部を中央に設けた平板ワッシャを収納配置した構成とすることができる。
【手続補正６】
【補正対象書類名】明細書
【補正対象項目名】００１５
【補正方法】変更
【補正の内容】
【００１５】
さらに、前記基部と蓋部との嵌合中空部内に収納配置する皿ばねは、強靭弾性と防錆効果を有する金属材料により構成し、これら複数の皿ばねを適宜平板ワッシャを介して積層し、これら積層した皿ばねの頂部と底縁部がそれぞれ円形嵌合凹部の対向する底面に当接して基部と蓋部とが前記皿ばねを介して離間するように設定し、前記積層した皿ばねの外周部に対向するように前記円形嵌合凹部の内周部に複数の湾曲ばね片を隣接配置した構成とすることができる。
なお、この場合、基礎と支持部材にそれぞれ結合固定される互いに嵌合する円形嵌合凹部を有する基部と蓋部とにおいて、前記円形嵌合凹部の外側にそれぞれ延在する基板と蓋板との間に、伸縮ばね（圧縮コイルばね）を配置して垂直方向に変位可能に当接した構成とすることができる。
【手続補正７】
【補正対象書類名】明細書
【補正対象項目名】００１７
【補正方法】変更
【補正の内容】
【００１７】
図１ないし図５は、本発明に係る構築物の免震支持構造の一実施例を示すものであって、図１は構築物の支持部材側の要部側断面図、図２は構築物の基礎側の要部側断面図、図３は図２に示す基礎側の平面図、図４は図１に示す支持部材側の底面図、図５は図１に示す支持部材側と図２に示す基礎側との結合状態を示す要部側断面図である。
【手続補正８】
【補正対象書類名】明細書
【補正対象項目名】００１８
【補正方法】変更
【補正の内容】
【００１８】
そこで、まず図１において、参照符号１０は構築物の支持部材としての土台を示し、この土台１０の上部には、例えば構築物の柱脚が結合固定されると共に、この柱脚の一部に、例えば構築物の筋かいの一端が結合支持固定される。
【手続補正９】
【補正対象書類名】明細書
【補正対象項目名】００２０
【補正方法】変更
【補正の内容】
【００２０】
一方、図２において、参照符号３０は基礎を示し、この基礎３０の上部に、前期衝撃吸収機能を有する支持結合装置２０の基部３２を取付ける。すなわち、この基部３２は、前記と同様に、ステンレス鋼等の強靭性と防錆効果を有する金属材料により構成し、中央部に前記蓋部２２の円形嵌合凹部２４の内径寸法ｄ1 より若干小さい外径寸法ｄ2 からなる円形嵌合凹部３４を備え、その外方に延在する基板３６に、それぞれ取付けアンカーボルト３８およびナット３９を介して基礎３０に埋設固定する（図２参照）。
【手続補正１０】
【補正対象書類名】明細書
【補正対象項目名】００３１
【補正方法】変更
【補正の内容】
【００３１】
前述した実施例による本発明の免震支持構造において、前記構成からなる免震支持結合装置２０によれば、構築物等の基礎構造ないし支持構造において、土台１０と基礎３０との結合部分に適用することにより、地震時における地盤から伝播される水平方向の表面波に対して、基部３２の円形嵌合凹部３４内に装着した湾曲ばね片４４による弾力作用および基板３６と蓋板２６との間に設けた鋼球４６の転動等により、水平方向の変位を吸収して、免震効果を有効に発揮させることができる。
【手続補正１１】
【補正対象書類名】明細書
【補正対象項目名】００３４
【補正方法】変更
【補正の内容】
【００３４】
【発明の効果】
前述した実施例から明らかなように、本発明に係る構築物・重量据付物等の免震支持構造は、構築物・重量据付物等の基礎とこの基礎の上に支持される支持部材との間に設置する免震支持結合装置からなり、前記基礎と支持部材にそれぞれ結合固定される互いに嵌合する円形嵌合凹部を有する基部と蓋部とを備え、前記基部と蓋部との嵌合中空部内に、複数の皿ばねを積層配置し、かつこれら皿ばねの外周を複数の隣接する湾曲ばね片で囲繞するように配置し、前記基部を形成する基板と前記蓋部を形成する蓋板との間に鋼球を転動可能に設けた構成とすることにより、構築物や重量据付物等に対し外部から与えられる種々の荷重に対して、優れた免震効果を発揮させることができる。
【手続補正１２】
【補正対象書類名】明細書
【補正対象項目名】００３５
【補正方法】変更
【補正の内容】
【００３５】
また、本発明に係る免震支持構造は、基礎と支持部材にそれぞれ結合固定される互いに嵌合する円形嵌合凹部を有する基部と蓋部とにおいて、前記円形嵌合凹部の外側にそれぞれ延在する基板と蓋板との間に、伸縮ばね（圧縮コイルばね）を配置して垂直方向に変位可能に当接した構成とすることにより、地震時において地盤から伝播される垂直方向の実体波に対しても、免震効果を発揮させることができる。
【手続補正１３】
【補正対象書類名】明細書
【補正対象項目名】００３６
【補正方法】変更
【補正の内容】
【００３６】
従って、本発明に係る免震支持構造は、比較的簡単な構成で、強靭かつ耐久性に優れ、各種構築物および重量据付物等の基礎構造ないし支持構造として、基礎地盤から伝播される地震動の水平方向の表面波に対して有効に免震効果を発揮することができると共に、垂直方向の実体波に対しても免震効果を発揮させることができる。